(57)【特許請求の範囲】
【請求項１】
表示面を有する機器本体と、
該機器本体にスライド可能に案内される第１カバー部材と、
一端が該第１カバー部材に回転可能に連結された第２カバー部材と、を具備し、
前記第１位置にて前記第１及び第２カバー部材は協働して前記表示面を覆い、且つ前記第２位置にて前記第１カバー部材は前記表示面を可視可能とさせるとともに前記第２カバー部材は前記機器本体の裏面に位置して、該機器本体を傾斜した姿勢に支持可能としたこと、を特徴とする開閉可能なカバーを有する機器。
【請求項２】
前記機器本体の両側には、前記表示面に平行で且つ該表示面のカバー開閉方向に沿って前記第１位置と第２位置との間に延びている互いに平行な１対の第１ガイド手段と、該第１ガイド手段に平行な１対の第２ガイド手段とが設けられ、
前記第１カバー部材は、一端と、前記第２カバー部材の一端が回転可能に連結された他端とを有し、該第１カバー部材の一端が前記第１ガイド手段に前記第１位置と第２位置との間でスライド可能で且つ回転可能に案内され、
前記第２カバー部材は、該第１カバー部材の他端に回転可能に連結された前記一端と、前記他端と、ピボット部とを有し、該ピボット部は前記第２ガイド手段の第１位置から第２位置までスライド可能に且つ該第２位置で枢動可能に案内され、
前記第１カバー部材の一端が前記第１ガイド手段の前記第１位置にあり、且つ前記第２カバー部材のピボット部が前記第２ガイド手段の前記第１位置にあるとき、該第１及び第２カバー部材は協働して前記表示面を覆う閉位置となり、
該閉位置から前記第１カバー部材及び前記第２カバー部材は、該第２カバー部材のピボット部が前記第２ガイド手段の第２位置に到達するまで、前記第１ガイド手段及び第２ガイド手段に沿って共に平行移動し、
前記第１カバー部材の前記一端は前記第１ガイド手段に沿って回転可能にスライド移動し、前記第２カバー部材の前記ピボット部は前記第２ガイド手段の第２位置で回転し、
前記第１カバー部材の一端が前記第１ガイド手段の前記第２位置に到達した時に、前記第２カバー部材の他端が前記機器本体の裏面に位置して、該機器本体を傾斜した姿勢に支持可能であること、を特徴とする請求項１に記載の機器。
【請求項３】
前記１対の第１ガイド手段は、機器本体の両側に設けた前記表示面のカバー開閉方向の長さに対応する長さの１対のガイド溝であり、前記第１カバー部材の一端に１対の軸部を設け、該１対の軸部を前記１対のガイド溝にスライド可能且つ枢動可能に結合したことを特徴とする請求項２に記載の機器。
【請求項４】
前記１対のガイド溝は互いに反対方向に向けて開放されており、前記第１カバー部材の１対の軸部は互いの側に突出していて前記１対のガイド溝に嵌合されていることを特徴とする請求項３に記載の機器。
【請求項５】
前記１対の第２ガイド手段は、機器本体の両側に設けた１対のガイド孔と、該ガイド孔に挿入されて入れ子式にスライド可能な１対のガイドバーとから成り、該１対のガイドバーの自由端に前記第２カバー部材の１対のピボット部が枢動可能に結合されていることを特徴とする請求項２〜４のいずれか１項に記載の機器。
【請求項６】
前記１対のガイド孔及び前記１対のガイドバーは矩形断面を有することを特徴とする請求項５に記載の機器。
【請求項７】
前記第２カバー部材の１対のピボット部は互いに側に内方に向いた１対のピボット軸部から成り、該１対の軸部は前記１対のガイドバーの自由端に設けたピボット孔に枢動可能に嵌合されていることを特徴とする請求項６に記載の機器。
【請求項８】
前記機器本体の両側には前記１対のガイド溝と平行に１対の第２ガイド溝が設けられ、前記１対のピボット軸部はこれらの第２ガイド溝にも嵌合されていることを特徴とする請求項７記載の機器。
【請求項９】
前記第１カバー部材の他端と前記第２カバー部材の一端との間は、ヒンジ部材により互いに枢動可能に結合されており、該ヒンジ部材の軸は、前記第１カバー部材の一端に設けた１対の軸部、及び前記第２カバー部材のピボット部に設けた１対の軸部にそれぞれ平行であることを特徴とする請求項１に記載の機器。
【請求項１０】
前記ヒンジ部材は可撓性のフィルムシートであることを特徴とする請求項９に記載の機器。
【請求項１１】
前記第２カバー部材は、前記第１カバー部材及び前記第２カバー部材より成る保護カバーの開位置で、前記機器本体の裏面に当接するストッパ部を具備することを特徴とする請求項１に記載の機器。
【発明の詳細な説明】
【０００１】
【発明の属する技術分野】
本発明は開閉可能なカバーを有する機器に関する。特に、本発明は、操作面又は表示面を有する携帯用の卓上電子計算機（電卓）、コンピュータ、ワードプロセッサ、電子手帳等の小型携帯用機器であって、操作面又は表示面を開閉するためのカバーを有する機器に関する。
【０００２】
この種の携帯用機器において、液晶面等からなる操作面又は表示面を使用時は開放して指やペン等で操作できるように、非使用時は保護カバーでもって閉じておくことによりこの操作面又は表示面を保護するようにしたものが多用されている。またこのような機器は、非使用時で携帯中は液晶面等を破損しないように保護することが必要であり、使用時は、指やペン等での操作を容易に行えるようにすることが必要である。
【０００３】
【従来の技術】
図５に従来の保護カバーを有するペン操作式の携帯用端末機器の一例を示す。図において、１は機器本体、２は機器本体の上面に設けた押圧入力部を兼ねる液晶表示部、３は液晶表示部に対して情報入力を行うペン、４は液晶表示部を開閉する保護カバー、５はヒンジ部材で２つのピボット軸５ａ及び５ｂを有する。
【０００４】
図示のように、保護カバー４は、２つのピボット軸５ａ、５ｂを有するヒンジ部材５により機器本体１に結合されている。詳しくは、保護カバー４の後縁にヒンジ部材５はその一方の側のピボット軸５ａが連結され、このヒンジ部材５の他方の側のピボット軸５ｂが機器本体１の後壁の上下中央位置に連結されている。そして、非使用時は、図５（ａ）に示すように、保護カバー４が液晶表示部２のある機器本体１の上面に接触していて、液晶表示部２が保護カバー４で完全に覆われており、また、使用時は、図５（ｂ）に示すように、保護カバー４を矢印のＡ方向に回転させて開くことによりヒンジ部材５は各ピボット軸５ａ，５ｂで非使用時に比べてそれぞれ最大約１８０°（全体として３６０°）まで回転し、保護カバー４が機器本体１の裏面に接触できるように構成されていると共に、この開放状態で液晶表示部２に対しペン操作が可能の状態となる。
【０００５】
また、他の従来例として特開平８−１６５２２号公報には、機器本体の操作面を覆う第１の姿勢と該操作面とは反対の裏面を覆う第２の姿勢とを選択的に取りうるカバーを備えた電子機器において、カバーにスタンドを起立可能に取り付けることにより、第２の姿勢を取る時に、カバーからスタンドを起立させて機器本体を支えることができるように構成し、機器本体に傾斜をもたせるようにした電子機器が開示されている。
【０００６】
【発明が解決しようとする課題】
図５に示したような保護カバーを有するペン操作式の従来の携帯用端末機器においては、使用時において、図５（ｂ）に示すように、保護カバー４を機器本体の裏面に接触するまで開くことのできる構成になっているが、この状態で、例えばこの端末機器を机面（図示せず）等の上に置いて使用する場合は、液晶表示面が水平な状態となるため、ペンで入力する際、液晶表示面を見るときに覗き込むような姿勢となり、液晶表示部を見ながら入力操作しずらいという問題があった。
【０００７】
また、上述の特開平８−１６５２２号公報に記載の電子機器においては、カバーにスタンドを起立可能に取り付けることにより、第２の姿勢をとる時、即ちカバーを開けた使用時に、カバーからスタンドを起立させることにより、機器本体を選択的に傾斜した状態とすることができるという利点があるが、機器本体を傾斜させて使用する際は、その都度カバーからスタンドを起立させなければならず、また使用を終了してカバーを収納しようとする際もその都度スタンドを収納しなければならず、カバーの開閉操作が煩わしいという問題があった。
【０００８】
そこで、本発明は、保護カバーの開閉操作が簡便で且つ保護カバーを開けた使用時には、機器本体を傾斜した状態で保持できるようにし、操作し易い形態の、保護カバーを有する機器を提供することを課題とする。
【０００９】
【課題を解決するための手段】
上記の課題を達成するために、本発明によれば、表示面を有する機器本体と、該機器本体に第１位置と第２位置との間でスライド可能に案内される第１カバー部材と、一端が該第１カバー部材に枢動可能に連結された第２カバー部材とを具備し、前記第１位置にて前記第１及び第２カバー部材は協働して前記表示面を覆い、且つ前記第２位置にて前記第２カバー部材の他端が前記機器本体の裏面に回り込んで、該機器本体を傾斜した姿勢に支持可能としたことを特徴とする、開閉可能なカバーを有する機器が提供される。
【００１０】
これによると、第１及び第２カバー部材は閉位置では互いに平面状をなし機器本体の表示部を覆っており、開位置では第２カバー部材の他端が前記機器本体の裏面に回り込むように前記第１及び第２カバー部材間が所定の角度で維持され、該機器本体を傾斜した姿勢に支持する。
前記機器本体の両側には、前記表示面に平行で且つ該表示面のカバー開閉方向の長さに沿って前記第１位置と第２位置との間に延びている互いに平行な１対の第１ガイド手段と、該第１ガイド手段に平行で且つ該第１ガイド手段より短い１対の第２ガイド手段とが設けられ、前記第１カバー部材は、一端と、前記２カバー部材の一端が枢動可能に連結された他端とを有し、該第１カバー部材の一端が前記第１ガイド手段に前記第１位置と第２位置との間でスライド可能で且つ枢動可能に案内され、前記第２カバー部材は、該第１カバー部材の他端に枢動可能に連結された前記一端と、前記他端と、ピボット部とを有し、該ピボット部は前記第２ガイド手段の第１位置から第２位置までスライド可能に案内され且つ該第２位置で枢動可能に案内され、前記第１カバー部材の一端が前記第１ガイド手段の前記第１位置にあり、且つ前記第２カバー部材のピボット部が前記第２ガイド手段の前記第１位置にあるとき、該第１及び第２カバー部材は協働して前記表示面を覆う閉位置となり、該閉位置から前記第１カバー部材及び前記前記第２カバー部材は、該第２カバー部材のピボット部が前記第２ガイド手段の第２位置に到達するまで、前記第１ガイド手段及び第２ガイド手段に沿って共に平行移動し、その後、前記第１カバー部材の前記一端は前記第１ガイド手段に沿って枢動可能にスライド移動し、前記第２カバー部材の前記ピボット部は前記第２ガイド手段の第２位置にて枢動し、前記第１カバー部材の一端が前記第１ガイド手段の前記第２位置に到達した時に、前記第２カバー部材の他端が前記機器本体の裏面に回り込んで、該機器本体を傾斜した姿勢に支持可能であることを特徴とする。
【００１１】
これによると、第１カバー部材と第２カバー部材とからなる保護カバーが開放される初期動作では、第１カバー部材と第２カバー部材とが両者とも開方向に平行移動し、次の動作で、第１カバー部材が更に開方向へ主としてスライドするのに対し、第２カバー部材は枢動して、第２カバー部材の他端が機器本体の裏面に回り込んで、機器本体を傾斜した姿勢に支持する。また、これと反対の動作により保護カバーの閉方向に移動する。
【００１２】
前記１対の第１ガイド手段は、機器本体の両側に設けた１対のガイド溝であり、前記第１カバー部の一端に１対の軸部を設け、該１対の軸部を前記１対のガイド溝にスライド可能且つ枢動可能に結合したことを特徴とする。この場合において、前記１対のガイド溝は互いに反対方向に向けて開放されており、前記第１カバー部材の１対の軸部は互いの側に突出していて、前記１対のガイド溝に嵌合されるいる。
【００１３】
これによると、第１カバー部材の１対の軸部は機器本体側の１対のガイド溝から逸脱することなく、スライド移動と枢動り両方の動作が許容される。
前記１対の第２ガイド手段は、機器本体の両側に設けた１対のガイド孔と、該ガイド孔に挿入されて入れ子式にスライド可能な１対のガイドバーとから成り、該１対のガイドバーの自由端に前記第２カバー部材の１対のピボット部が枢動可能に結合されていることを特徴とする。
【００１４】
これによると、第１カバー部材と第２カバー部材とからなる保護カバーが開放される初期動作において、第２カバー部材のスライド移動のみ許容し、これに付随して第１カバー部材もスライド移動をする。
前記１対のガイド孔及び前記１対のガイドバーは矩形断面を有することを特徴とする。これによると、ガイドバーのガイド孔内での回転を阻止する。
【００１５】
前記第２カバー部材の１対のピボット部は互いに側に内方に向いた１対の軸部から成り、該１対のピボット軸部は前記１対のガイドバーの自由端に設けたピボット孔に枢動可能に嵌合されていることを特徴とする。この場合において、前記機器本体の両側には前記１対のガイド溝と平行に１対の第２ガイド溝を設けられ、前記１対のピボット軸はこれらの第２ガイド溝にも嵌合されている。
【００１６】
これによると、第２カバー部材の１対のピボット軸部は機器本体側の１対の第２ガイド溝から逸脱することなく、その第１位置から第２位置までの間スライド移動を行うことができる。
前記第１カバー部材の他端と前記第２カバー部材の一端との間は、ヒンジ部材により互いに枢動可能に結合されており、該ヒンジ部材の軸は、前記第１カバー部材の一端に設けた１対の軸部、並びに前記第２カバー部材のピボット部に設けた１対の軸部にそれぞれ平行であることを特徴とする。この場合において、前記ヒンジ部材は可撓性のフィルムシートである。
【００１７】
これによると、第１カバー部材と第２カバー部材との間とヒンジ構造が簡単で、保護カバーの開閉動作の間において円滑なピボット動作が可能となる。
前記第２カバー部材は、前記第１カバー部材及び前記第２カバー部材より成る保護カバーの開位置で、前記機器本体の裏面に当接するストッパ部を具備することを特徴とする。これによると、保護カバーが開放された使用状態において機器本体は傾斜した状態に安定して支持される。
【００１８】
【発明の実施の形態】
以下、図１〜図４を参照して本発明の実施の形態について詳細に説明する。
図１〜図４は本発明の実施形態を示す。本実施形態に係る機器は、例えば携帯用の卓上電子計算機（電卓）、コンピュータ、ワードプロセッサ、電子手帳等の小型携帯用機器であって、操作面又は表示面（以下、表示面という）を開閉するためのカバーを有するものに適用される。
【００１９】
図１はカバーを閉じた状態を示す側面図、図２はカバーを開いた状態を示す側面図、図３は分解斜視図、図４はカバーを開いた状態を示す斜視図である。
図１に示すように、保護カバーを閉じた状態で機器を水平な机面４０上に置いた時、機器本体１０はその上面に机面４０と平行でかつ水平な液晶表示面１１と、机面４０に接触する裏面１２とを有する。
【００２０】
機器本体１０の両側壁には、表示面１１に平行で且つこの表示面１１の保護カバー開閉方向の長さ方向に沿って、この表示面１１の長さに略等しい長さの１対のガイド溝１３、１３を有し、これらのガイド溝１３、１３は互いに反対側に向けて溝孔が開口している。
機器本体１０の両側壁のガイド溝１３、１３の下側には、これらのガイド溝１３、１３と平行な断面が矩形の１対のガイド孔１４、１４が設けられている。これらのガイド孔１４、１４には、それぞれ断面が矩形のガイドバー１５、１５が入れ子式にスライド可能に挿入されている。ガイド孔１４、１４及びガイドバー１５、１５は断面が矩形であるので、ガイドバー１５、１５はスライド可能であるが回転しないようになっている。各ガイドバー１５、１５のガイド孔１４、１４から突き出している自由端にはピボット孔１６、１６がそれぞれ設けられている。
【００２１】
機器本体１０の液晶表示面１１を開閉する保護カバーは、２つのカバー部材、即ち第１カバー部材２０と第２カバー部材３０とから成る。第１カバー部材２０はその両側の比較的浅い立ち下がり壁２１、２１があり、第１カバー部材２０の一端側で且つ立ち下がり壁２１、２１の先端部に互いの側に向いた１対の軸部２２、２２が設けられている。
【００２２】
第１カバー部材２０はその他端２３の側で、適当な可撓性のシート材、例えばフィルムシートや、兆番等よりなるヒンジ部材２５を介して第２カバー部材３０の一端３１側に、第１カバー部材２０と第２カバー部材３０との間が互いに枢動可能となるように連結されている。
第２カバー部材３０の他端３２の側は、両側に立ち下がり壁３３、３３を有すると共に、これらの立ち下がり壁３３、３３の更に他端の側に、保護カバーを閉じている時に、機器の底部の一部（図１）をなす壁部３４を有し、第２カバー部材３０の他端側がケース状ないし箱状の形態をなしている。また、第２カバー部材３０の略中央部で且つ立ち下がり壁３３、３３の前記一端３１に近い側には、互いの側に向いた１対のピボット軸部３５、３５が設けられている。
【００２３】
第１カバー部材２０の１対の軸部２２、２２は機器本体１０の１対のガイド溝１３、１３にスライド移動可能に且つ枢動可能に嵌合している。一方、第２カバー部材３０の１対の軸部３４、３４は、１対のガイドバー１５、１５の自由端に設けたピボット孔１６、１６がそれぞれ枢動可能に嵌合され、更に機器本体１の両側壁に１対のガイド溝１３、１３と平行に設けた１対のガイド溝１７、１７にスライド可能に嵌合されている。これらの１対のガイド溝１７、１７はガイド溝１３、１３よりかなり短いものである。
【００２４】
図１には、第１カバー部材２０と第２カバー部材３０とから成る保護カバーが機器本体１０の表示面１１を閉じて保護している状態を示す。即ち、第１カバー部材２０と第２カバー部材３０は略平面状に、即ちヒンジ部材２５を中心に約１８０度の関係にあり、第１カバー部材２０と第２カバー部材３０は協働して表示面１１を覆っている。この状態では、第１カバー部材２０の軸部２２、２２はガイド溝１３、１３の第１位置（１３ａ）にあり、且つガイドバー１５、１５はガイド孔１４、１４の中に挿入された位置で且つ第２カバー部材３０のピボット軸部３５、３５はガイド溝１７、１７の第１位置（１７ａ）にある。
【００２５】
この閉位置から第１カバー部材２０又は第２カバー部材３０を開方向（図１矢印Ｂ）へ押し開くと、ガイドバー１５、１５はガイド孔１４、１４の中でスライド動作のみ可能となるので、これに追随して第１カバー部材２０の軸部２２、２２はガイド溝１３、１３をスライドし且つ第２カバー部材３０のピボット軸部３５、３５はガイド溝１７、１７をスライドし、したがって第１カバー部材２０及び第２カバー部材３０は共に平行移動をする。第２カバー部材３０の他端３２の側の壁部３４が機器本体１０の底面に接触していることも、２つのカバー部材２０、３０の平行移動に寄与している。
【００２６】
第２カバー部材３０のピボット軸部３５、３５がガイド溝１７、１７の他端、即ち第２位置（１７ｂ）に到達すると、ガイドバー１５、１５はそれ以上スライド移動できなくなる。この時点では第２カバー部材３０の壁部３４は機器本体１０の底面から離れている。その後は、第２カバー部材３０の第２位置（１７ｂ）にあるピボット軸部３５、３５を中心として開方向（図２矢印Ｃ方向）へ回転し、これに追随して第１カバー部材２０の軸部２２、２２はガイド溝１３、１３に沿って更にスライド移動しながら若干のピボット動作をする。
【００２７】
第１カバー部材２０の軸部２２、２２はガイド溝１３、１３の他端、即ち第２位置（１３ｂ）に到達すると、第１カバー部材２０はこれ以上移動できなくなると共に、この状態で機器本体１０の表示面１１は完全に開かれた状態となる。また、第２カバー部材３０の他端３２が機器本体１０の裏面１２に回り込んで、機器本体１０を傾斜した姿勢に支持する。
【００２８】
この開放状態で、第２カバー部材３０の他端３２の壁部３４は機器本体１０の裏面１２に当接していて、ストッパの役目をし、機器本体１０を傾斜状態に安定して保持することができる。
以上、添付図面を参照して本発明の実施形態について詳細に説明したが、本発明は上記の実施形態に限定されるものではなく、本発明の精神ないし範囲内において種々の形態、変形、修正等が可能であることに留意すべきである。
【００２９】
【発明の効果】
以上に説明したような、本発明によれば、第１カバー部材と第２カバー部材とから成る保護カバーの開閉操作は、これらのカバー部材を押し開くだけの簡単な操作で可能であり、また保護カバーを完全に開けた使用状態では、機器本体を適度に傾斜した状態で保持できるので、ペン入力等の操作がし易い態勢となる。
【図面の簡単な説明】
【図１】本発明の開閉可能なカバーを有する機器の１実施形態のカバー閉状態を示す側面図（ａ）及びＡ−Ａ断面図（ｂ）である。
【図２】図１に示した本発明の１実施形態のカバー開状態を示す側面図である。
【図３】図１に示した本発明の１実施形態の分解斜視図である。
【図４】図１に示した本発明の１実施形態のカバー開状態を示す斜視図である。
【図５】従来の開閉可能なカバーを有する電子機器の１例を示す概略側面図で、（ａ）は閉状態、（ｂ）は開状態をそれぞれ示す。
【符号の説明】
１０…機器本体
１１…表示面
１２…裏面
１３…ガイド溝
１４…ガイド孔
１５…ガイドバー
１６…ピボット孔
１７…ガイド溝
２０…第１カバー部材
２２…軸部
２５…ヒンジ部材
３０…第２カバー部材
３４…裏面壁
３５…ヒンジ軸部
【図１】
0003701097.tif 000002
【図２】
0003701097.tif 000003
【図３】
0003701097.tif 000004
【図４】
0003701097.tif 000005
【図５】
0003701097.tif 000006